(57)【要約】      （修正有）【課題】メンテナンス作業の開始又は終了を通知する。【解決手段】監視方法は、（Ａ）監視対象において事象が発生したことを検知した場合に、監視対象に対する保守作業を開始した際に発生する事象のデータ及び終了した際に発生する事象のデータの少なくともいずれかを格納する第１データ格納部から、発生した事象と一致する事象のデータを探索する処理と、（Ｂ）発生した事象と一致する事象のデータが第１データ格納部から特定された場合に、監視対象において保守作業が開始又は終了したことを示すデータを出力する処理とを含む。【選択図】図１
2014010756.tif 000002
【特許請求の範囲】
【請求項１】
コンピュータに、
監視対象において事象が発生したことを検知した場合に、前記監視対象に対する保守作業を開始した際に発生する事象のデータ及び終了した際に発生する事象のデータの少なくともいずれかを格納する第１データ格納部から、発生した前記事象と一致する事象のデータを探索し、
発生した前記事象と一致する事象のデータが前記第１データ格納部から特定された場合に、前記監視対象において保守作業が開始又は終了したことを示すデータを出力する
処理を実行させることを特徴とする監視プログラム。
【請求項２】
発生した前記事象と一致する事象が、前記監視対象に対する保守作業を開始した際に発生する事象である場合に、前記ユーザが前記監視対象を監視中であるか否かを示すデータを格納する第２データ格納部を用いて、前記ユーザが前記監視対象を監視中であるかを判定し、
前記ユーザが前記監視対象を監視中であると判定された場合に、前記監視対象に対する監視を中断し忘れていることを示すデータを出力する
処理をさらに実行させることを特徴とする請求項１記載の監視プログラム。
【請求項３】
発生した前記事象と一致する事象が、前記監視対象に対する保守作業を終了した際に発生する事象である場合に、前記ユーザが前記監視対象を監視中であるか否かを示すデータを格納する第２データ格納部を用いて、前記ユーザが前記監視対象を監視中であるかを判定し、
前記ユーザが前記監視対象を監視中ではないと判定された場合に、前記監視対象に対する監視を再開し忘れていることを示すデータを出力する
処理をさらに実行させることを特徴とする請求項１記載の監視プログラム。
【請求項４】
前記ユーザから、発生した前記事象を提示することを要求する第１の提示要求を受け付けた場合に、発生した前記事象を前記ユーザに提示するためのデータを出力する
処理をさらに実行させることを特徴とする請求項１乃至３のいずれか１つ記載の監視プログラム。
【請求項５】
監視対象において事象が発生したことを検知した場合に、前記監視対象に対する保守作業を開始した際に発生する事象のデータ及び終了した際に発生する事象のデータの少なくともいずれかを格納する第１データ格納部から、発生した前記事象と一致する事象のデータを探索し、
発生した前記事象と一致する事象のデータが前記第１データ格納部から特定された場合に、前記監視対象において保守作業が開始又は終了したことを示すデータを出力する
処理をコンピュータが実行する監視方法。
【請求項６】
監視対象に対する保守作業を開始した際に発生する事象のデータ及び終了した際に発生する事象のデータの少なくともいずれかを格納する第１データ格納部と、
前記監視対象において事象が発生したことを検知した場合に、前記第１データ格納部から、発生した前記事象と一致する事象のデータを探索する探索部と、
発生した前記事象と一致する事象のデータが前記第１データ格納部から特定された場合に、前記監視対象において保守作業が開始又は終了したことを示すデータを出力する出力部と、
を有する監視装置。
【発明の詳細な説明】
【技術分野】
【０００１】
本発明は、システムの異常を監視する技術に関する。
【背景技術】
【０００２】
機器等に異常が無いかを監視する技術に関連し、稼動中の機器に対してメンテナンス作業を実施すると、実際には異常が無いにも関わらず警報等が発せられることがあるという問題に対して、メンテナンス作業中であるかを区別する技術が知られている。例えば、機器がメンテナンス作業中であるか否かが登録されたファイルを予め用意しておき、そのファイルを利用することで、メンテナンス作業中の機器の状態変化と通常の機器に発生した異常とを区別する。しかし、この技術では、ファイルを更新し忘れたり、やむを得ない事情でファイルの更新前にメンテナンスを開始するような場合には、対処することができない。
【０００３】
また、保守用の端末との接続状態に基づき、機器がメンテナンス作業中であるか否かを判断する技術も存在する。しかし、この技術だと、保守用の端末を利用することを前提としたメンテナンスシステム以外には適用することができない。
【先行技術文献】
【特許文献】
【０００４】
【特許文献１】特開平６−２０８６９４号公報
【特許文献２】特開２００８−２１７２２９号公報
【発明の概要】
【発明が解決しようとする課題】
【０００５】
従って、１つの側面では、本発明の目的は、メンテナンス作業の開始又は終了を通知するための技術を提供することである。
【課題を解決するための手段】
【０００６】
一態様の監視方法は、監視対象において事象が発生したことを検知した場合に、監視対象に対する保守作業を開始した際に発生する事象のデータ及び終了した際に発生する事象のデータの少なくともいずれかを格納する第１データ格納部から、発生した事象と一致する事象のデータを探索し、発生した事象と一致する事象のデータが第１データ格納部から特定された場合に、監視対象において保守作業が開始又は終了したことを示すデータを出力する処理を含む。
【発明の効果】
【０００７】
一態様によれば、メンテナンス作業の開始又は終了を通知できるようになる。
【図面の簡単な説明】
【０００８】
【図１】図１は、本実施の形態のシステム概要を示す図である。
【図２】図２は、本実施の形態のメインの処理フローを示す図である。
【図３】図３は、収集処理の処理フローを示す図である。
【図４】図４は、記録状態データ格納部に格納されているデータの一例を示す図である。
【図５】図５は、記録データ格納部に格納されているデータの一例を示す図である。
【図６】図６は、判断処理の処理フローを示す図である。
【図７】図７は、条件格納部に格納されているデータの一例を示す図である。
【図８】図８は、事象データ格納部に格納されているデータの一例を示す図である。
【図９】図９は、根拠データ格納部に格納されているデータの一例を示す図である。
【図１０】図１０は、監視状態データ格納部に格納されているデータの一例を示す図である。
【図１１】図１１は、フラグ格納部に格納されているデータの一例を示す図である。
【図１２】図１２は、監視クライアントの表示装置に表示されるデータの一例を示す図である。
【図１３】図１３は、監視クライアントの表示装置に表示されるデータの一例を示す図である。
【図１４】図１４は、通知処理の処理フローを示す図である。
【図１５】図１５は、監視クライアントの表示装置に表示されるデータの一例を示す図である。
【図１６】図１６は、監視クライアントの表示装置に表示されるデータの一例を示す図である。
【図１７】図１７は、根拠事象のデータを監視クライアントのユーザに提示するための処理の処理フローを示す図である。
【図１８】図１８は、監視クライアントの表示装置に表示されるデータの一例を示す図である。
【図１９】図１９は、監視クライアントの表示装置に表示されるデータの一例を示す図である。
【図２０】図２０は、監視の中断又は再開を選択するための画面の一例を示す図である。
【図２１】図２１は、根拠事象のデータを監視クライアントのユーザに提示するための処理の処理フローを示す図である。
【図２２】図２２は、監視クライアントの表示装置に表示されるデータの一例を示す図である。
【図２３】図２３は、監視を中断した場合における表示内容をユーザが要求した際に行う処理の処理フローを示す図である。
【図２４】図２４は、監視クライアントの表示装置に表示されるデータの一例を示す図である。
【図２５】図２５は、監視を再開した場合における表示内容をユーザが要求した際に行う処理の処理フローを示す図である。
【図２６】図２６は、監視クライアントの表示装置に表示されるデータの一例を示す図である。
【図２７】図２７は、記録を開始する際に行う処理の処理フローを示す図である。
【図２８】図２８は、記録を終了する際に行う処理の処理フローを示す図である。
【図２９】図２９は、コンピュータの機能ブロック図である。
【発明を実施するための形態】
【０００９】
図１に、本実施の形態のシステム概要を示す。本実施の形態の主要な処理を実施する運用管理サーバ１には、監視対象である複数の業務サーバ５と、業務サーバ５の異常を監視するユーザによって操作される監視クライアント３とが接続されている。
【００１０】
業務サーバ５は、通信部５１と、管理部５３とを含む。
【００１１】
業務サーバ５における管理部５３は、業務サーバ５において発生した事象のデータを収集し、通信部５１に出力する。事象のデータは、例えば、業務サーバ５にログインしたユーザの情報、コマンドの実行履歴、プロセスの稼働状況の情報、業務サーバ５の性能に関する情報及びその他のログ等を含む。通信部５１は、管理部５３から受け取った事象のデータを、例えば事象が発生する度に又は定期的に運用管理サーバ１に送信する。
【００１２】
運用管理サーバ１は、収集部１０１と、記録データ格納部１０３と、記録処理部１０５と、記録状態データ格納部１０７と、条件格納部１０９と、管理部１１１と、根拠データ格納部１１３と、根拠処理部１１５と、監視状態データ格納部１１７と、事象データ格納部１１９と、フラグ処理部１２１と、フラグ格納部１２３と、送信部１２５とを含む。
【００１３】
収集部１０１は、業務サーバ５から事象のデータを受信すると、管理部１１１に出力する。また、収集部１０１は、記録状態データ格納部１０７に格納されているデータに基づき記録状態を判定し、「記録中」である場合には、受信した事象のデータを記録データ格納部１０３に格納する。
【００１４】
記録処理部１０５は、監視クライアント３のユーザが「記録開始ボタン」及び「記録終了ボタン」を選択したことを検知した場合に、記録状態データ格納部１０７に格納されているデータを更新する。また、記録処理部１０５は、記録データ格納部１０３に格納されているデータを用いて開始条件及び終了条件を生成し、条件格納部１０９に格納する。
【００１５】
管理部１１１は、条件格納部１０９に格納されているデータ、監視状態データ格納部１１７に格納されているデータ、フラグ格納部１２３に格納されているデータ及び収集部１０１から受け取った事象のデータを用いて処理を行い、処理結果を事象データ格納部１１９及び根拠データ格納部１１３に格納する。
【００１６】
根拠処理部１１５は、メンテナンスが開始又は終了したと判断した根拠となる事象（以下、根拠事象と呼ぶ）のデータの要求があった場合、根拠データ格納部１１３に格納されているデータを用いて、根拠事象をユーザに提示するためのデータを生成する。また、根拠処理部１１５は、生成したデータを監視クライアント３に送信する。
【００１７】
フラグ処理部１２１は、監視を中断又は再開した場合における表示内容の要求があった場合、事象データ格納部１１９に格納されているデータを用いて、監視を中断又は再開した場合における表示内容を表すデータを生成し、監視クライアント３に送信する。また、フラグ処理部１２１は、フラグについての更新要求を監視クライアント３から受信した場合に、フラグ格納部１２３に格納されているデータを更新する。
【００１８】
送信部１２５は、事象データ格納部１１９に格納されている事象のデータを用いて、監視クライアント３の表示装置（例えばモニタ）に表示するための表示データを生成し、監視クライアント３に送信する。
【００１９】
監視クライアント３は、処理部３１を含む。
【００２０】
処理部３１は、ユーザからの指示を受け付けた場合に、運用管理サーバ１にその旨を通知する。また、処理部３１は、表示装置に表示するためのデータを運用管理サーバ１から受信した場合に、当該データを表示装置に表示する。
【００２１】
次に、図１に示したシステムの動作について説明する。はじめに、業務サーバ５で発生した事象のデータを監視クライアント３に送信する処理について説明する。
【００２２】
まず、運用管理サーバ１における収集部１０１は、次の処理タイミングまで待機する（図２：ステップＳ１）。ステップＳ１においては、例えば運用管理サーバ１が所定時間毎に処理を行っている場合には、前回処理を行ったタイミングから所定時間が経過するまで待機する。
【００２３】
収集部１０１は、次の処理タイミングになると、収集処理を実施する（ステップＳ３）。収集処理については、図３乃至図５を用いて説明する。
【００２４】
まず、収集部１０１は、業務の識別情報を含む事象のデータを業務サーバ５から受信し（図３：ステップＳ１１）、管理部１１１に出力する。なお、ステップＳ１１において受信した事象のデータは、事象の発生日時、事象が発生した業務サーバの識別情報及び業務の識別情報並びに発生した事象の内容等を含む。
【００２５】
収集部１０１は、事象のデータに含まれる業務の識別情報によって特定される業務について、記録状態データ格納部１０７に格納されているデータを用いて、「記録中」であるか判断する（ステップＳ１３）。
【００２６】
図４に、記録状態データ格納部１０７に格納されているデータの一例を示す。図４の例では、業務の識別情報と、記録中であるか否かを示す情報とが格納されている。
【００２７】
「記録中」である場合（ステップＳ１３：Ｙｅｓルート）、収集部１０１は、ステップＳ１１において受信した事象のデータを記録データ格納部１０３に格納する（ステップＳ１５）。そして元の処理に戻る。
【００２８】
図５に、記録データ格納部１０３に格納されているデータの一例を示す。図５の例では、事象を特定するための番号と、事象の発生日時と、業務サーバの識別情報と、業務の識別情報と、発生した事象の内容等を表すメッセージとが格納されている。
【００２９】
図３の説明に戻り、「記録中」ではない場合（ステップＳ１３：Ｎｏルート）、元の処理に戻る。
【００３０】
以上のようにして、各業務について発生した事象のデータを収集する。
【００３１】
図２の説明に戻り、運用管理サーバ１は、判断処理を実施する（ステップＳ５）。判断処理については、図６乃至図１３を用いて説明する。なお、ステップＳ１１において受信した事象のデータが、複数の事象のデータを含む場合には、当該複数の事象の各々について判断処理を実施する。
【００３２】
まず、管理部１１１は、ステップＳ１１において受信した事象のデータ（以下、処理対象の事象のデータと呼ぶ）と、条件格納部１０９に格納されているデータとを用いて、メンテナンス作業の開始条件又は終了条件を満たすか判断する（図６：ステップＳ２１）。
【００３３】
図７に、条件格納部１０９に格納されているデータの一例を示す。図７の例では、業務の識別情報と、開始条件又は終了条件のいずれであるかを示す情報と、事象の発生順番と、事象の内容とが格納されている。
【００３４】
ステップＳ２１においては、例えば以下のような方法によって、開始条件又は終了条件を満たすかを判断する。具体的には、（１）各開始条件及び各終了条件に含まれる事象のうち、フラグが立てられておらず且つ順番が最も早い（番号が最も小さい）事象が、処理対象の事象と一致するか判断する。（２）処理対象の事象と一致する場合には、その事象にフラグを立てる。そして、ステップＳ２１の処理を実行する度に、（１）及び（２）の処理を実行する。その結果、開始条件又は終了条件に含まれる全ての事象についてフラグが立てられた場合には、その開始条件又は終了条件を満たすと判断する。
【００３５】
このようにすれば、開始条件又は終了条件を満たすかを効率的に判断できるようになる。
【００３６】
図６の説明に戻り、いずれの開始条件も満たさない場合（ステップＳ２３：Ｎｏルート）、ステップＳ３５の処理に移行する。
【００３７】
一方、いずれかの開始条件を満たす場合（ステップＳ２３：Ｙｅｓルート）、管理部１１１は、メンテナンス作業が開始したことを示すメッセージを生成し、事象データ格納部１１９に登録する（ステップＳ２５）。ステップＳ２５においては、例えば、「メンテナンスが開始した可能性があります。」というメッセージを生成する。
【００３８】
図８に、事象データ格納部１１９に格納されているデータの一例を示す。図８の例では、事象を特定するための番号と、事象の発生日時と、業務サーバの識別情報と、業務の識別情報と、発生した事象の内容等を表すメッセージとが格納されている。フラグについては後で説明する。
【００３９】
管理部１１１は、ステップＳ２３において満たすと判断された開始条件に含まれる事象のデータを条件格納部１０９から読み出し、根拠データ格納部１１３に格納する（ステップＳ２７）。
【００４０】
図９に、根拠データ格納部１１３に格納されているデータの一例を示す。図９の例では、根拠事象の組合せを特定するための番号と、事象の発生日時と、事象の内容とが格納されている。
【００４１】
管理部１１１は、監視状態データ格納部１１７に格納されているデータに基づき、処理対象の事象が発生した業務を監視中であるか判断する（ステップＳ２９）。
【００４２】
図１０に、監視状態データ格納部１１７に格納されているデータの一例を示す。図１０の例では、業務の識別情報と、監視中であるか否かを示す情報とが格納されている。「監視中」とは、監視クライアント３のユーザが、その業務に発生した事象を監視している（すなわち、その事象のデータを監視クライアント３が受信している）ことを示している。
【００４３】
監視中ではない場合（ステップＳ２９：Ｎｏルート）、ステップＳ３５の処理に移行する。
【００４４】
一方、監視中である場合（ステップＳ２９：Ｙｅｓルート）、管理部１１１は、フラグ格納部１２３において、処理対象の業務に中断忘れフラグを設定する（ステップＳ３１）。
【００４５】
図１１に、フラグ格納部１２３に格納されているデータの一例を示す。図１１の例では、業務の識別情報と、フラグとが格納されている。中断忘れフラグは、メンテナンス作業中であるにも関わらず監視を中断していないことを示す。再開忘れフラグは、メンテナンス作業をしていないにも関わらず監視を再開していないことを示す。
【００４６】
管理部１１１は、中断忘れであることを示すデータを監視クライアント３に送信する（ステップＳ３３）。
【００４７】
これに応じ、監視クライアント３の表示装置には、例えば図１２に示すようなデータが表示される。このような表示によって、ユーザは監視の中断をし忘れていることに気付くことができるので、たとえ監視中の業務において異常が発生したとしても、メンテナンス作業によって発生した異常であるということを認識できる。
【００４８】
なお、後で説明するステップＳ６１の処理において、メンテナンス作業が開始したことを示すメッセージをユーザに通知できるようになっているので、必ずしもステップＳ３３の処理は行わなくても良い。
【００４９】
ステップＳ３５の説明に移行し、管理部１１１は、いずれかの終了条件を満たすか判断する（ステップＳ３５）。いずれの終了条件も満たさない場合（ステップＳ３５：Ｎｏルート）、元の処理に戻る。
【００５０】
一方、いずれかの終了条件を満たす場合（ステップＳ３５：Ｙｅｓルート）、管理部１１１は、メンテナンス作業が終了したことを示すメッセージを生成し、事象データ格納部１１９に登録する（ステップＳ３６）。ステップＳ３６においては、例えば、「メンテナンスが終了した可能性があります。」というメッセージを生成する。
【００５１】
管理部１１１は、ステップＳ３５において満たすと判断された終了条件に含まれる事象のデータを条件格納部１０９から読み出し、根拠データ格納部１１３に格納する（ステップＳ３７）。
【００５２】
管理部１１１は、監視状態データ格納部１１７に格納されているデータに基づき、処理対象の事象が発生した業務を監視中であるか判断する（ステップＳ３９）。
【００５３】
監視中である場合（ステップＳ３９：Ｙｅｓルート）、元の処理に戻る。
【００５４】
一方、監視中でない場合（ステップＳ３９：Ｎｏルート）、管理部１１１は、フラグ格納部１２３において、処理対象の業務に再開忘れフラグを設定する（ステップＳ４１）。
【００５５】
管理部１１１は、再開忘れであることを示すデータを監視クライアント３に送信する（ステップＳ４３）。そして元の処理に戻る。
【００５６】
監視クライアント３の表示装置には、例えば図１３に示すようなデータが表示される。このような表示によって、ユーザは監視の再開をし忘れていることに気付くことができるので、監視対象の業務サーバにおいて発生した異常を見逃してしまうことを回避できるようになる。
【００５７】
なお、後で説明するステップＳ６１の処理において、メンテナンス作業が終了したことを示すメッセージをユーザに通知できるようになっているので、必ずしもステップＳ４３の処理は行わなくても良い。
【００５８】
図２の説明に戻り、運用管理サーバ１は、通知処理を実施する（ステップＳ７）。通知処理については、図１４乃至図１６を用いて説明する。
【００５９】
まず、管理部１１１は、フラグ格納部１２３において、処理対象の業務に中断忘れフラグが設定されているか判断する（図１４：ステップＳ５１）。
【００６０】
中断忘れフラグが設定されている場合（ステップＳ５１：Ｙｅｓルート）、管理部１１１は、処理対象の事象のデータを中断忘れフラグと共に事象データ格納部１１９に登録する（ステップＳ５３）。そしてステップＳ６１の処理に移行する。このようにすれば、フラグ格納部１２３において中断忘れフラグが設定されている間に発生した事象については、中断忘れフラグが対応付けられるようになる
【００６１】
一方、中断忘れフラグが設定されていない場合（ステップＳ５１：Ｎｏルート）、管理部１１１は、フラグ格納部１２３において、処理対象の業務に再開忘れフラグが設定されているか判断する（ステップＳ５５）。
【００６２】
再開忘れフラグが設定されている場合（ステップＳ５５：Ｙｅｓルート）、管理部１１１は、処理対象の事象のデータを再開忘れフラグと共に事象データ格納部１１９に登録する（ステップＳ５７）。そしてステップＳ６１の処理に移行する。このようにすれば、フラグ格納部１２３において再開忘れフラグが設定されている間に発生した事象については、再開忘れフラグが対応付けられるようになる。
【００６３】
一方、再開忘れフラグが設定されていない場合（ステップＳ５５：Ｎｏルート）、管理部１１１は、処理対象の事象のデータを事象データ格納部１１９に登録する（ステップＳ５９）。
【００６４】
そして、送信部１２５は、事象データ格納部１１９に格納されているデータを用いて、監視クライアント３のユーザが監視中の業務について発生した事象を表示するための表示データを生成し、監視クライアント３に送信する（ステップＳ６１）。そして元の処理に戻る。
【００６５】
ステップＳ６１において、監視クライアント３のユーザが監視中の業務は、監視状態データ格納部１１７に格納されているデータによって特定できる。また、ステップＳ６１においては、再開忘れフラグが付されている事象のデータは、表示データの生成に用いないようにする。
【００６６】
図１５に、監視クライアント３の表示装置に表示される表示データの一例を示す。図１５の例では、監視クライアント３のユーザが監視している業務Ａ及び業務Ｂについて発生した事象が表示されるようになっている。「業務Ａのメンテナンスが開始した可能性があります。」というメッセージは、ステップＳ２５において生成されたメッセージである。このようなメッセージをユーザが確認し、例えば監視を中断する等の対処を行う。
【００６７】
図１６に、監視クライアント３の表示装置に表示される表示データの他の例を示す。図１６の例では、監視クライアント３のユーザが監視している業務Ａ及び業務Ｂについて発生した事象が表示されるようになっている。「業務Ａのメンテナンスが終了した可能性があります。」というメッセージは、ステップＳ３６において生成されたメッセージである。このようなメッセージをユーザが確認し、例えば監視を再開する等の対処を行う。
【００６８】
図２の説明に戻り、運用管理サーバ１は、処理を終了するか判断する（ステップＳ９）。例えば運用管理サーバ１又は監視クライアント３のユーザから処理の終了を指示された場合には、処理を終了すると判断する。処理を終了しない場合（ステップＳ９：Ｎｏルート）、次の処理を実施するため、ステップＳ１の処理に戻る。そうでない場合は、処理を終了する（ステップＳ９：Ｙｅｓルート）。
【００６９】
以上のような処理を実施すれば、ユーザは、監視対象の業務サーバにおいてメンテナンス作業が実施されているか否かを把握できるようになる。よって、例えば監視中の業務について異常が発生した場合であっても、その異常がメンテナンス作業によるものであるか否かを判別できる。また、その異常がメンテナンス作業によるものであるとわかっていれば、無駄に応対をしないで済む。
【００７０】
次に、図１７乃至図２０を用いて、図１５における「業務Ａのメンテナンスが開始した可能性があります」という部分をユーザがマウスの左クリックによって選択した場合に運用管理サーバ１が行う処理について説明する。
【００７１】
監視クライアント３における処理部３１は、「業務Ａのメンテナンスが開始した可能性があります」という部分をユーザがマウスの左クリックによって選択したことを検出する。すると、処理部３１は、上記の部分が選択されたことを通知するための通知データを運用管理サーバ１に送信する。なお、通知データには、根拠事象の組合せを特定するための番号が含まれる。
【００７２】
運用管理サーバ１における根拠処理部１１５は、上記通知データを監視クライアント３から受信することによって、「業務Ａのメンテナンスが開始した可能性があります」が選択されたことを検知する（図１７：ステップＳ７１）。
【００７３】
根拠処理部１１５は、受信した通知データに含まれる、根拠事象の組合せを特定するための番号をキーにして、根拠データ格納部１１３から事象のデータを抽出する。そして、根拠処理部１１５は、抽出された事象のデータを含む表示データを生成し、監視クライアント３に送信する（ステップＳ７３）。
【００７４】
監視クライアント３における処理部３１は、運用管理サーバ１から受信した表示データを表示装置に表示する。図１８に、監視クライアント３の表示装置に表示される表示データの一例を示す。図１８の例では、「業務Ａのメンテナンスが開始した可能性があります。」というメッセージの傍に、業務Ａのメンテナンス作業が開始したと判断した根拠となる事象のデータが表示されるようになっている。また、番号が「２」以外の事象のデータについてはグレーアウトされているため、ユーザは、どの部分を注意して見ればよいかが容易にわかるようになっている。
【００７５】
また、監視クライアント３におけるユーザは、図１９に示すような表示によって、現在どの業務の監視をしているかを確認することもできる。図１９の例では、業務の識別情報と、業務についての処理を担当する業務サーバの識別情報と、業務サーバにおけるプロセスの識別情報とが表示されている。
【００７６】
監視クライアント３におけるユーザは図１８及び図１９のような表示を確認した後、監視を中断すべきと判断した場合には、ユーザは例えば図２０のような表示を表示装置に表示させる。図２０においては、業務Ａについて、監視の中断を指示するためのボタンと、監視の再開を指示するためのボタンとが含まれる。ユーザは、「監視を中断」というボタンを左クリックする。すると、処理部３１は、監視状態についての更新要求を運用管理サーバ１に送信する。更新要求は、監視状態が更新される業務の指定を含む。
【００７７】
図１７の説明に戻り、根拠処理部１１５は、監視状態についての更新要求を監視クライアント３から受信したか判断する（ステップＳ７５）。監視状態についての更新要求を受信していない場合（ステップＳ７５：Ｎｏルート）、処理を終了する。
【００７８】
一方、監視状態についての更新要求を受信した場合には（ステップＳ７５：Ｙｅｓルート）、根拠処理部１１５は、更新要求において指定されている業務についての監視状態を「監視中」から「−」に更新する（ステップＳ７７）。そして処理を終了する。
【００７９】
以上のような処理を実施すれば、本当に保守作業が開始したのかをユーザ自身が確認できるので、誤って監視の中断をしてしまうようなことを防止できるようになる。
【００８０】
次に、図２１及び図２２を用いて、図１６における「業務Ａのメンテナンスが終了した可能性があります」という部分をユーザがマウスの左クリックによって選択した場合に運用管理サーバ１が行う処理について説明する。
【００８１】
監視クライアント３における処理部３１は、「業務Ａのメンテナンスが終了した可能性があります」という部分をユーザがマウスの左クリックによって選択したことを検知する。すると、処理部３１は、上記の部分が選択されたことを通知するための通知データを運用管理サーバ１に送信する。なお、通知データには、根拠事象の組合せを特定するための番号が含まれる。
【００８２】
運用管理サーバ１における根拠処理部１１５は、上記通知データを監視クライアント３から受信することによって、「業務Ａのメンテナンスが終了した可能性があります」が選択されたことを検知する（図２１：ステップＳ８１）。
【００８３】
根拠処理部１１５は、受信した通知データに含まれる、根拠事象の組合せを特定するための番号をキーにして、根拠データ格納部１１３から事象のデータを抽出する。そして、根拠処理部１１５は、抽出された事象のデータを含む表示データを生成し、監視クライアント３に送信する（ステップＳ８３）。
【００８４】
監視クライアント３における処理部３１は、運用管理サーバ１から受信した表示データを表示装置に表示する。図２２に、監視クライアント３の表示装置に表示される表示データの一例を示す。図２２の例では、「業務Ａのメンテナンスが終了した可能性があります。」というメッセージの傍に、業務Ａのメンテナンス作業が終了したと判断した根拠となる事象のデータが表示されるようになっている。また、番号が「２」以外の事象のデータについてはグレーアウトされているため、ユーザは、どの部分を注意して見ればよいかが容易にわかるようになっている。
【００８５】
監視クライアント３におけるユーザは図２２のような表示を確認した後、監視を再開すべきと判断した場合には、例えば図２０のような表示における「監視を再開」というボタンを左クリックする。すると、処理部３１は、監視状態についての更新要求を運用管理サーバ１に送信する。更新要求は、監視状態が更新される業務の指定を含む。
【００８６】
図２１の説明に戻り、根拠処理部１１５は、監視状態についての更新要求を監視クライアント３から受信したか判断する（ステップＳ８５）。監視状態についての更新要求を受信していない場合（ステップＳ８５：Ｎｏルート）、処理を終了する。
【００８７】
一方、監視状態についての更新要求を受信した場合には（ステップＳ８５：Ｙｅｓルート）、根拠処理部１１５は、更新要求において指定されている業務についての監視状態を「−」から「監視中」に更新する（ステップＳ８７）。そして処理を終了する。
【００８８】
以上のような処理を実施すれば、本当に保守作業が開始したのかをユーザ自身が確認できるので、誤って監視の再開をしてしまうようなことを防止できるようになる。
【００８９】
次に、図２３及び図２４を用いて、監視を中断した場合における表示内容をユーザが要求した際に運用管理サーバ１が行う処理について説明する。
【００９０】
監視クライアント３のユーザは、「業務Ａのメンテナンスが開始した可能性があります」という部分をマウスの右クリックによって選択した際に表示されるメニューの中から、「監視を中断した場合」というメニューを左クリックによって選択する。監視クライアント３における処理部３１は、当該メニューが選択されたことを通知するための通知データを運用管理サーバ１に送信する。
【００９１】
運用管理サーバ１におけるフラグ処理部１２１は、上記通知データを監視クライアント３から受信することによって、「監視を中断した場合」というメニューが選択されたことを検知する（図２３：ステップＳ９１）。
【００９２】
フラグ処理部１２１は、事象データ格納部１１９に格納されている事象のデータのうち、中断忘れフラグが付されている事象のデータをグレーアウトして表示するための表示データを生成し、監視クライアント３に送信する（ステップＳ９３）。
【００９３】
監視クライアント３における処理部３１は、運用管理サーバ１から受信した表示データを表示装置に表示する。図２４に、監視クライアント３の表示装置に表示される表示データの一例を示す。図１５と比較すると、図２４の例では、監視を中断した場合に表示がされなくなる事象のデータ（すなわち、中断忘れフラグが付されている事象のデータ）がグレーアウトされている。
【００９４】
監視クライアント３におけるユーザは図２４のような表示を確認した後、グレーアウトされた業務については中断忘れではないと判断した場合には、「業務Ａのメンテナンスが開始した可能性があります」という部分をマウスの右クリックによって選択した際に表示されるメニューの中から、「中断忘れの解除」というメニューを左クリックによって選択する。すると、処理部３１は、フラグについての更新要求を運用管理サーバ１に送信する。更新要求は、フラグが更新される業務の指定を含む。
【００９５】
図２３の説明に戻り、フラグ処理部１２１は、フラグについての更新要求を監視クライアント３から受信したか判断する（ステップＳ９５）。フラグについての更新要求を受信していない場合（ステップＳ９５：Ｎｏルート）、処理を終了する。
【００９６】
一方、フラグについての更新要求を受信した場合には（ステップＳ９５：Ｙｅｓルート）、フラグ処理部１２１は、フラグ格納部１２３を、更新要求において指定されている業務についての中断フラグを削除するように更新する（ステップＳ９７）。そして処理を終了する。これにより、ステップＳ９７の処理以降は、事象のデータに中断忘れフラグが付されないようになる。
【００９７】
以上のような処理を実施すれば、実際にはメンテナンスが開始していない場合において、誤って監視を中断してしまうことを防止できるようになる。
【００９８】
また、監視クライアント３のユーザが「業務Ａのメンテナンスが開始した可能性があります」という部分をマウスの右クリックによって選択した際に表示されるメニューの中から、「一括削除」というメニューを左クリックで選択した場合には、グレーアウトされた業務について発生した事象のデータを削除するようにしてもよい。
【００９９】
次に、図２５及び図２６を用いて、監視を再開した場合における表示内容をユーザが要求した際に運用管理サーバ１が行う処理について説明する。
【０１００】
監視クライアント３のユーザは、「業務Ａのメンテナンスが終了した可能性があります」という部分をマウスの右クリックによって選択した際に表示されるメニューの中から、「監視を再開した場合」というメニューを左クリックによって選択する。監視クライアント３における処理部３１は、当該メニューが選択されたことを通知するための通知データを運用管理サーバ１に送信する。
【０１０１】
運用管理サーバ１におけるフラグ処理部１２１は、上記通知データを監視クライアント３から受信することによって、「監視を再開した場合」というメニューが選択されたことを検知する（図２５：ステップＳ１０１）。
【０１０２】
フラグ処理部１２１は、事象データ格納部１１９に格納されている事象のデータのうち、再開忘れフラグが付されている事象のデータを表示するための表示データを生成し、監視クライアント３に送信する（ステップＳ１０３）。再開忘れフラグが付されているということは、その事象が発生した業務についての監視が行われていないため、ステップＳ１０３より前の段階では、監視クライアント３の表示装置には表示されていない。
【０１０３】
監視クライアント３における処理部３１は、運用管理サーバ１から受信した表示データを表示装置に表示する。図２６に、監視クライアント３の表示装置に表示される表示データの一例を示す。図１６と比較すると、図２６の例では、監視を再開した場合に表示される事象のデータが追加されている。なお、追加される事象のデータを強調表示するようにしてもよい。
【０１０４】
監視クライアント３におけるユーザは図２６のような表示を確認した後、その業務については再開忘れではないと判断した場合には、「業務Ａのメンテナンスが終了した可能性があります」という部分をマウスの右クリックによって選択した際に表示されるメニューの中から、「再開忘れの解除」というメニューを左クリックによって選択する。すると、処理部３１は、フラグについての更新要求を運用管理サーバ１に送信する。更新要求は、フラグが更新される業務の指定を含む。
【０１０５】
図２３の説明に戻り、フラグ処理部１２１は、フラグについての更新要求を監視クライアント３から受信したか判断する（ステップＳ１０５）。フラグについての更新要求を受信していない場合（ステップＳ１０５：Ｎｏルート）、処理を終了する。
【０１０６】
一方、フラグについての更新要求を受信した場合には（ステップＳ１０５：Ｙｅｓルート）、フラグ処理部１２１は、フラグ格納部１２３を、更新要求において指定されている業務についての再開忘れフラグを削除するように更新する（ステップＳ１０７）。そして処理を終了する。これにより、ステップＳ１０７の処理以降は、事象のデータに再開忘れフラグが付されないようになる。
【０１０７】
以上のような処理を実施すれば、実際にはメンテナンスが終了していない場合において、誤って監視を再開してしまうことを防止できるようになる。
【０１０８】
次に、図２７を用いて、ユーザが開始条件又は終了条件を新たに定義する場合に運用管理サーバ１が行う処理について説明する。まず、記録を開始する際の処理について説明する。
【０１０９】
監視クライアント３のユーザは、「記録開始」ボタンをマウスの左クリックによって選択する。監視クライアント３における処理部３１は、当該ボタンが選択されたことを通知するための通知データを運用管理サーバ１に送信する。なお、通知データは、メンテナンス作業の開始又は終了の指定を含む。
【０１１０】
「記録開始」ボタンが押下されたことを確認すると、監視クライアント３のユーザ又はメンテナンス作業の実施者等は、業務についてのメンテナンス作業の実施を開始又は終了する。
【０１１１】
運用管理サーバ１における記録処理部１０５は、上記通知データを監視クライアント３から受信することによって、「記録開始」ボタンの選択があったことを検知する（図２７：ステップＳ１１１）。また、記録処理部１０５は、受信した通知データをメインメモリ等の記憶装置に格納する。
【０１１２】
記録処理部１０５は、記録状態データ格納部１０７に格納されている記録状態を示すデータを、「−」から「記録中」に変更するように更新する（ステップＳ１１３）。そして処理を終了する。
【０１１３】
次に、図２８を用いて、記録を終了する際の処理について説明する。
【０１１４】
監視クライアント３のユーザは、記録を終了する場合には、「記録終了」ボタンをマウスの左クリックによって選択する。監視クライアント３における処理部３１は、当該ボタンが選択されたことを通知するための通知データを運用管理サーバ１に送信する。
【０１１５】
運用管理サーバ１における記録処理部１０５は、上記通知データを監視クライアント３から受信することによって、「記録終了」ボタンの選択があったことを検知する（図２８：ステップＳ１２１）。
【０１１６】
記録処理部１０５は、記録状態データ格納部１０７に格納されている、「記録中」を示すデータを削除し（ステップＳ１２３）、「−」（すなわち、記録中ではないことを示すデータ）を格納する。
【０１１７】
記録処理部１０５は、記録データ格納部１０３に格納されている事象のデータを用いて、ステップＳ１２１において受信した通知データに含まれる開始又は終了の指定に従って開始条件又は終了条件を生成し、条件格納部１０９に格納する（ステップＳ１２５）。そして処理を終了する。
【０１１８】
以上のような処理を実施すれば、どのような場合に保守作業が開始又は終了したとみなすかをユーザ自身が定義できるようになる。実際にメンテナンス作業に携わるユーザがこのような定義を行えば、適切な開始条件及び終了条件が条件格納部１０９に登録されるようになる。
【０１１９】
以上本発明の一実施の形態を説明したが、本発明はこれに限定されるものではない。例えば、上で説明した運用管理サーバ１、監視クライアント３及び業務サーバ５の機能ブロック構成は必ずしも実際のプログラムモジュール構成に対応するものではない。
【０１２０】
また、上で説明した各テーブルの構成は一例であって、必ずしも上記のような構成でなければならないわけではない。さらに、処理フローにおいても、処理結果が変わらなければ処理の順番を入れ替えることも可能である。さらに、並列に実行させるようにしても良い。
【０１２１】
また、ステップＳ６１の処理の代わりに、監視クライアント３からの要求があった場合に送信部１２５が表示データを生成し、監視クライアント３に送信するような処理を行うようにしてもよい。
【０１２２】
また、上で述べた例では、業務毎に異常を監視しているが、例えば業務サーバ毎に異常を監視するようにしてもよい。
【０１２３】
また、上で述べた例では、運用管理サーバ１が表示データを生成して監視クライアント３に送信するような例を示したが、表示データの生成に用いるデータのみを監視クライアント３に送信し、監視クライアント３において表示データを生成するようにしてもよい。
【０１２４】
また、監視状態についての更新要求及びフラグについての更新要求を監視クライアント３が運用管理サーバ１に送信するタイミングは、上で述べたようなタイミングに限られない。すなわち、監視クライアント３のユーザは、任意のタイミングにおいて監視状態及びフラグについての更新要求を運用管理サーバ１に送信するように監視クライアント３に指示を出すことができる。
【０１２５】
なお、上で述べた運用管理サーバ１、監視クライアント３及び業務サーバ５は、コンピュータ装置であって、図２９に示すように、メモリ２５０１とＣＰＵ（Central Processing Unit）２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１２６】
以上述べた本発明の実施の形態をまとめると、以下のようになる。
【０１２７】
本実施の形態に係る監視方法は、（Ａ）監視対象において事象が発生したことを検知した場合に、監視対象に対する保守作業を開始した際に発生する事象のデータ及び終了した際に発生する事象のデータの少なくともいずれかを格納する第１データ格納部から、発生した事象と一致する事象のデータを探索し、（Ｂ）発生した事象と一致する事象のデータが第１データ格納部から特定された場合に、監視対象において保守作業が開始又は終了したことを示すデータを出力する処理を含む。
【０１２８】
このようにすれば、ユーザは、監視対象において発生した異常が保守作業が原因で発生したものであるか否かを判断できるようになる。よって、保守作業が原因で発生した異常に対して無駄に応対をしないで済むようになる。
【０１２９】
また、本監視方法が、（Ｃ）発生した事象と一致する事象が、監視対象に対する保守作業を開始した際に発生する事象である場合に、ユーザが監視対象を監視中であるか否かを示すデータを格納する第２データ格納部を用いて、ユーザが監視対象を監視中であるかを判定し、（Ｄ）ユーザが監視対象を監視中であると判定された場合に、監視対象に対する監視を中断し忘れていることを示すデータを出力する処理をさらに含むようにしてもよい。このようにすれば、中断のし忘れによって異常が発生してしまうことを防止できるようになる。
【０１３０】
また、本監視方法が、（Ｅ）発生した事象と一致する事象が、監視対象に対する保守作業を終了した際に発生する事象である場合に、ユーザが監視対象を監視中であるか否かを示すデータを格納する第２データ格納部を用いて、ユーザが監視対象を監視中であるかを判定し、（Ｆ）ユーザが監視対象を監視中ではないと判定された場合に、監視対象に対する監視を再開し忘れていることを示すデータを出力する処理をさらに含むようにしてもよい。このようにすれば、再開のし忘れによってユーザが異常の発生を見逃してしまうことを防止できるようになる。
【０１３１】
また、本監視方法が、（Ｇ）ユーザから、発生した事象を提示することを要求する第１の提示要求を受け付けた場合に、発生した事象をユーザに提示するためのデータを出力する処理をさらに含むようにしてもよい。このようにすれば、本当に保守作業が開始又は終了したのかをユーザ自身が確認できるようになる。
【０１３２】
また、本監視方法が、（Ｈ）監視対象に対する監視を中断し忘れていることを通知されたユーザから、監視対象に対する監視を中断した場合における提示内容を要求する第２の提示要求を受け付けた場合に、発生した事象より後に発生した事象が識別可能な態様になるように又は当該事象を含まないように事象の一覧データを生成し、出力する処理をさらに含むようにしてもよい。このようにすれば、ユーザは、監視を中断した場合にどのような提示内容になるかを予め確認できるようになる。
【０１３３】
また、本監視方法が、（Ｉ）監視対象に対する監視を再開し忘れていることを通知されたユーザから、監視対象に対する監視を再開した場合における提示内容を要求する第３の提示要求を受け付けた場合に、発生した事象より後に発生した事象のデータを含むように事象の一覧データを生成し、出力する処理をさらに含むようにしてもよい。このようにすれば、ユーザは、監視を再開した場合にどのような提示内容になるかを予め確認できるようになる。
【０１３４】
また、本監視方法が、（Ｊ）発生した事象が提示されたユーザから、監視対象に対する監視を中断又は再開することを要求する変更要求を受け付けた場合に、第２データ格納部に格納されている、ユーザが監視対象を監視中であるか否かを示すデータを変更要求に従って変更する処理をさらに含むようにしてもよい。このようにすれば、ユーザは、本当に保守作業が開始又は終了したかを自身が確認した上で監視の中断又は再開をすることができるようになる。
【０１３５】
また、本監視方法が、（Ｋ）保守作業の開始又は終了の指定を含み且つ監視対象において発生した事象のデータの記録を開始することを要求する開始要求を受け付けた場合に、当該開始要求を受け付けた後に監視対象において発生した事象のデータを第３データ格納部に格納し、（Ｌ）監視対象において発生した事象のデータの記録を終了することを要求する終了要求を受け付けた場合に、監視対象において発生した事象のデータを第３データ格納部に格納することを終了し、第３データ格納部に格納されている事象のデータと開始又は終了の指定を示すデータとを対応付けて第１データ格納部に格納する処理をさらに含むようにしてもよい。このようにすれば、どのような場合に保守作業が開始又は終了したとみなすかをユーザ自身が定義できるようになる。
【０１３６】
なお、上記方法による処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納される。尚、中間的な処理結果はメインメモリ等の記憶装置に一時保管される。
【０１３７】
以上の実施例を含む実施形態に関し、さらに以下の付記を開示する。
【０１３８】
（付記１）
コンピュータに、
監視対象において事象が発生したことを検知した場合に、前記監視対象に対する保守作業を開始した際に発生する事象のデータ及び終了した際に発生する事象のデータの少なくともいずれかを格納する第１データ格納部から、発生した前記事象と一致する事象のデータを探索し、
発生した前記事象と一致する事象のデータが前記第１データ格納部から特定された場合に、前記監視対象において保守作業が開始又は終了したことを示すデータを出力する
処理を実行させることを特徴とする監視プログラム。
【０１３９】
（付記２）
発生した前記事象と一致する事象が、前記監視対象に対する保守作業を開始した際に発生する事象である場合に、前記ユーザが前記監視対象を監視中であるか否かを示すデータを格納する第２データ格納部を用いて、前記ユーザが前記監視対象を監視中であるかを判定し、
前記ユーザが前記監視対象を監視中であると判定された場合に、前記監視対象に対する監視を中断し忘れていることを示すデータを出力する
処理をさらに実行させることを特徴とする付記１記載の監視プログラム。
【０１４０】
（付記３）
発生した前記事象と一致する事象が、前記監視対象に対する保守作業を終了した際に発生する事象である場合に、前記ユーザが前記監視対象を監視中であるか否かを示すデータを格納する第２データ格納部を用いて、前記ユーザが前記監視対象を監視中であるかを判定し、
前記ユーザが前記監視対象を監視中ではないと判定された場合に、前記監視対象に対する監視を再開し忘れていることを示すデータを出力する
処理をさらに実行させることを特徴とする付記１記載の監視プログラム。
【０１４１】
（付記４）
前記ユーザから、発生した前記事象を提示することを要求する第１の提示要求を受け付けた場合に、発生した前記事象を前記ユーザに提示するためのデータを出力する
処理をさらに実行させることを特徴とする付記１乃至３のいずれか１つ記載の監視プログラム。
【０１４２】
（付記５）
前記監視対象に対する監視を中断し忘れていることを通知されたユーザから、前記監視対象に対する監視を中断した場合における提示内容を要求する第２の提示要求を受け付けた場合に、発生した前記事象より後に発生した事象が識別可能な態様になるように又は当該事象を含まないように事象の一覧データを生成し、出力する
処理をさらに実行させることを特徴とする付記２記載の監視プログラム。
【０１４３】
（付記６）
前記監視対象に対する監視を再開し忘れていることを通知されたユーザから、前記監視対象に対する監視を再開した場合における提示内容を要求する第３の提示要求を受け付けた場合に、発生した前記事象より後に発生した事象のデータを含むように事象の一覧データを生成し、出力する
処理をさらに実行させることを特徴とする付記３記載の監視プログラム。
【０１４４】
（付記７）
発生した前記事象が提示されたユーザから、前記監視対象に対する監視を中断又は再開することを要求する変更要求を受け付けた場合に、前記第２データ格納部に格納されている、前記ユーザが前記監視対象を監視中であるか否かを示すデータを前記変更要求に従って変更する
処理をさらに実行させることを特徴とする付記４記載の監視プログラム。
【０１４５】
（付記８）
保守作業の開始又は終了の指定を含み且つ前記監視対象において発生した事象のデータの記録を開始することを要求する開始要求を受け付けた場合に、当該開始要求を受け付けた後に前記監視対象において発生した事象のデータを第３データ格納部に格納し、
前記監視対象において発生した事象のデータの記録を終了することを要求する終了要求を受け付けた場合に、前記監視対象において発生した事象のデータを前記第３データ格納部に格納することを終了し、前記第３データ格納部に格納されている事象のデータと前記開始又は終了の指定を示すデータとを対応付けて前記第１データ格納部に格納する
処理をさらに実行させることを特徴とする付記１乃至７のいずれか１つ記載の監視プログラム。
【０１４６】
（付記９）
監視対象において事象が発生したことを検知した場合に、前記監視対象に対する保守作業を開始した際に発生する事象のデータ及び終了した際に発生する事象のデータの少なくともいずれかを格納する第１データ格納部から、発生した前記事象と一致する事象のデータを探索し、
発生した前記事象と一致する事象のデータが前記第１データ格納部から特定された場合に、前記監視対象において保守作業が開始又は終了したことを示すデータを出力する
処理をコンピュータが実行する監視方法。
【０１４７】
（付記１０）
監視対象に対する保守作業を開始した際に発生する事象のデータ及び終了した際に発生する事象のデータの少なくともいずれかを格納する第１データ格納部と、
前記監視対象において事象が発生したことを検知した場合に、前記第１データ格納部から、発生した前記事象と一致する事象のデータを探索する探索部と、
発生した前記事象と一致する事象のデータが前記第１データ格納部から特定された場合に、前記監視対象において保守作業が開始又は終了したことを示すデータを出力する出力部と、
を有する監視装置。
【符号の説明】
【０１４８】
１  運用管理サーバ    １０１  収集部
１０３  記録データ格納部    １０５  記録処理部
１０７  記録状態データ格納部    １０９  条件格納部
１１１  管理部    １１３  根拠データ格納部
１１５  根拠処理部    １１７  監視状態データ格納部
１１９  事象データ格納部    １２１  フラグ処理部
１２３  フラグ格納部    １２５  送信部
３  監視クライアント    ３１  処理部
５  業務サーバ    ５１  通信部
５３  管理部
【図１】
2014010756.tif 000003
【図２】
2014010756.tif 000004
【図３】
2014010756.tif 000005
【図４】
2014010756.tif 000006
【図５】
2014010756.tif 000007
【図６】
2014010756.tif 000008
【図７】
2014010756.tif 000009
【図８】
2014010756.tif 000010
【図９】
2014010756.tif 000011
【図１０】
2014010756.tif 000012
【図１１】
2014010756.tif 000013
【図１２】
2014010756.tif 000014
【図１３】
2014010756.tif 000015
【図１４】
2014010756.tif 000016
【図１５】
2014010756.tif 000017
【図１６】
2014010756.tif 000018
【図１７】
2014010756.tif 000019
【図１８】
2014010756.tif 000020
【図１９】
2014010756.tif 000021
【図２０】
2014010756.tif 000022
【図２１】
2014010756.tif 000023
【図２２】
2014010756.tif 000024
【図２３】
2014010756.tif 000025
【図２４】
2014010756.tif 000026
【図２５】
2014010756.tif 000027
【図２６】
2014010756.tif 000028
【図２７】
2014010756.tif 000029
【図２８】
2014010756.tif 000030
【図２９】
2014010756.tif 000031